(57)【要約】【課題】蛍光管の交換を短時間且つ少人数で行うことができる表示装置を提供する。【解決手段】蛍光管１５を支持するバックライトシャーシ１０の正面側に、光を拡散する光学シート９を配置し、光学シート９の正面側に映像を表示する表示パネル１を支持するフレーム５を設け、フレーム５の正面側にベゼル４を設け、ベゼル４、表示パネル１、フレーム５、及び光学シート９を連結して、ベゼル４、表示パネル１、フレーム５、及び光学シート９をユニットＵ１にする。光学シート９の一側に沿って第１補強体８０を設け、バックライトシャーシ１０の一側に沿って、第１補強体８０に対向する第２補強体９０を設け、第１補強体８０及び第２補強体９０の間に枢動部材１００を設けた。【選択図】図６
2009282481.tif 000002
【特許請求の範囲】
【請求項１】
映像を表示する表示パネルと、該表示パネルを支持する支持部とを備える表示装置において、
前記表示パネルの側部を中心に前記表示パネルが枢動するように、前記表示パネルと前記支持部とを連結する枢動部材を備えること
を特徴とする表示装置。
【請求項２】
前記表示パネルの側部又は前記支持部における前記表示パネルの側部に対向する部分に杆体を設けてあり、
該杆体に、前記枢動部材を連結してあること
を特徴とする請求項１に記載の表示装置。
【請求項３】
前記表示パネルの枢動を規制する規制部材を備えることを特徴とする請求項１又は２に記載の表示装置。
【請求項４】
前記表示パネルと前記支持部との位置を整合させる位置決め部材を備えることを特徴とする請求項１から３のいずれか一つに記載の表示装置。
【請求項５】
前記支持部は発光体を支持するシャーシを備え、前記表示パネルと前記シャーシとの間に、前記発光体の光を拡散する光学シートを配置してあることを特徴とする請求項１から４のいずれか一つに記載の表示装置。
【請求項６】
前記光学シートを前記枢動部材に連結してあることを特徴とする請求項５に記載の表示装置。
【請求項７】
前記支持部は、前記シャーシの背面に位置するキャビネットを備えることを特徴とする請求項５又は６に記載の表示装置。
【請求項８】
前記シャーシは、前記発光体を取り付けるための第１シャーシ部と、該第１シャーシ部に対向する第２シャーシ部とを備えることを特徴とする請求項５から７のいずれか一つに記載の表示装置。
【請求項９】
前記第１シャーシ部の枢動を規制するシャーシ規制部材を備えることを特徴とする請求項８に記載の表示装置。
【請求項１０】
前記第１シャーシ部と前記第２シャーシ部との位置を整合させるシャーシ整合部材を備えることを特徴とする請求項８又は９に記載の表示装置。
【請求項１１】
前記シャーシは矩形をなしており、
該シャーシに対向する矩形のキャビネットを備え、
該キャビネットの側部とキャビネットの前記側部に対向する前記シャーシの側部とを枢動可能に連結する連結部材を備えることを特徴とする請求項５に記載の表示装置。
【請求項１２】
前記支持部に取り付ける脚部と、該脚部を着脱するための着脱部とを備えることを特徴とする請求項１から１１のいずれか一つに記載の表示装置。
【請求項１３】
前記脚部の端部に転動体が設けてあることを特徴とする請求項１２に記載の表示装置。
【請求項１４】
映像を表示する表示パネルの正面側に設けてある枠体と、前記表示パネルの背面側に設けてあり、前記表示パネルを支持するパネル支持体と、該パネル支持体の背面側に設けてあり、発光体を支持するシャーシと、前記発光体の光を拡散して前記表示パネルに照射する光学シートとを備える表示装置において、
前記枠体、表示パネル、パネル支持体、及び光学シートを連結してあり、
前記光学シートの縁部分に沿う第１杆体と、
該第１杆体に対向しており、前記シャーシの縁部分に沿う第２杆体と、
前記第１杆体側を中心にして前記光学シートが枢動するように、前記第１杆体及び第２杆体を連結する枢動部材と
を備えることを特徴とする表示装置。
【請求項１５】
前記枢動部材は、
貫通孔を有しており、前記第１杆体の前記第２杆体側に固定される第１固定部と、
貫通孔を有しており、前記第２杆体の前記第１杆体側に固定される第２固定部と、
前記第１固定部の前記第２杆体側及び／又は前記第２固定部の前記第１杆体側に設けてある凹部と、
前記第１固定部又は第２固定部の一方を、他方に設けてある前記凹部に配置し、前記第１固定部及び第２固定部にそれぞれ開設してある貫通孔に挿入して、前記第１固定部及び第２固定部を連結する軸体と
を備えることを特徴とする請求項１４に記載の表示装置。
【請求項１６】
前記枢動部材は、
前記第１杆体の第２杆体側に固定される第１固定板部と、
該第１固定板部の一縁部及び該一縁部に対向する他縁部から前記第２杆体側へ向けて、前記第１杆体の軸芯方向に対し垂直に延出しており、貫通孔を有する二つの第１延出板部と、
前記第２杆体の第１杆体側に固定される第２固定板部と、
該第２固定板部の一縁部及び該一縁部に対向する他縁部から前記第１杆体側へ向けて、前記第２杆体の軸芯方向に対し垂直に延出しており、貫通孔を有する二つの第２延出板部と、
前記第１延出板部及び第２延出板部の貫通孔に挿入して、前記第１延出板部及び第２延出板部を連結する軸体と
を備えることを特徴とする請求項１４に記載の表示装置。
【請求項１７】
前記パネル支持体に取り付ける脚部と、該脚部を着脱するための着脱部とを備えることを特徴とする請求項１４から１６のいずれか一つに記載の表示装置。
【請求項１８】
前記脚部の端部に転動体が設けてあることを特徴とする請求項１７に記載の表示装置。
【請求項１９】
前記第１杆体及び第２杆体は筒形をなすことを特徴とする請求項１４から１８のいずれか一つに記載の表示装置。
【発明の詳細な説明】
【技術分野】
【０００１】
本発明は映像を表示する表示装置に関する。
【背景技術】
【０００２】
従来の表示装置、例えば液晶表示装置は、バックライトシャーシに設けてある蛍光管の正面側に、光を拡散する光学シート、表示パネルを支持するフレーム、映像を表示する表示パネル、及び該表示パネルを前記フレームに固定するベゼルを順に設けてあり、前記蛍光管の耐用年数が経過したときには、前記ベゼル、表示パネル、フレーム及び光学シートを順次取り外して蛍光管を交換していた（特許文献１参照）。
【特許文献１】特開平１０−１４３０９２号公報
【発明の開示】
【発明が解決しようとする課題】
【０００３】
特許文献１に記載の液晶表示装置は、蛍光管の交換の度に、取り外したベゼル、表示パネル、フレーム及び光学シートをそれぞれ載置する場所を確保する必要がある上、前記ベゼル、表示パネル、フレーム及び光学シートの取り外しには長時間を要する。また大型の液晶表示装置においては、前記各部品も大型であり、各部品の取り外しには多人数を要する。
【０００４】
本発明は斯かる事情に鑑みてなされたものであり、映像を表示するための表示パネルと、該表示パネルを支持する支持部を連結する枢動部材を設けて、表示パネルを取り外すことなく、表示パネルと支持部とを離反させる。そして支持部に設けてある部品の交換又は保守を行う。例えば液晶表示装置において、表示パネルとバックライトシャーシとを離反させて、バックライトシャーシに取り付けてある発光体を、表示パネルを取り外すことなく、短時間且つ少人数で交換することができる表示装置を提供することを目的とする。
【課題を解決するための手段】
【０００５】
本発明に係る表示装置は、映像を表示する表示パネルと、該表示パネルを支持する支持部とを備える表示装置において、前記表示パネルの側部を中心に、前記表示パネルが枢動するように、前記表示パネルと前記支持部とを連結する枢動部材を備えることを特徴とする。
【０００６】
本発明においては、映像を表示するための表示パネルと、該表示パネルを支持する支持部を連結する枢動部材を設けて、表示パネルを取り外すことなく、表示パネルと支持部とを離反させる。そして支持部に設けてある部品の交換又は保守を行う。
【０００７】
本発明に係る表示装置は、前記表示パネルの側部又は前記支持部における前記表示パネルの側部に対向する部分に杆体を設けてあり、該杆体に、前記枢動部材を連結してあることを特徴とする。
【０００８】
本発明においては、前記表示パネルの側部又は前記支持部における前記表示パネルの側部に対向する部分に杆体を設けて、該杆体に、前記枢動部材を連結することによって、表示パネルと支持部とを離反させたときの表示パネルの重量を、前記杆体に負荷して、表示パネルの重量による表示装置の変形を防止することができる。
【０００９】
本発明に係る表示装置は、前記表示パネルの枢動を規制する規制部材を備えることを特徴とする。
【００１０】
本発明においては、前記表示パネルに対向して配置されている部品の交換又は保守を行わない場合には、前記表示パネルの枢動を前記規制部材により規制し、前記表示パネルに対向して配置されている部品の交換又は保守を行う場合にのみ、前記表示パネルを枢動させる。
【００１１】
本発明に係る表示装置は、前記表示パネルと前記支持部との位置を整合させる位置決め部材を備えることを特徴とする。
【００１２】
本発明においては、部品の交換又は保守が終了し、前記表示パネルを前記支持部に接近させる場合に、位置決め部材により前記表示パネルと前記支持部との位置を整合させる。
【００１３】
本発明に係る表示装置は、前記支持部は発光体を支持するシャーシを備え、前記表示パネルと前記シャーシとの間に、前記発光体の光を拡散する光学シートを配置してあることを特徴とする。
【００１４】
本発明においては、前記光学シートの交換又は保守をする場合には、前記表示パネルを前記シャーシから離反させて、前記光学シートを露出させる。
【００１５】
本発明に係る表示装置は、前記光学シートを前記枢動部材に連結してあることを特徴とする。
【００１６】
本発明においては、前記光学シートを前記枢動部材に連結して、前記シャーシに支持してある発光体を交換する場合に、前記光学シートと前記シャーシとを離反させて、発光体を露出させる。
【００１７】
本発明に係る表示装置は、前記支持部は、前記シャーシの背面に位置するキャビネットを備えることを特徴とする。
【００１８】
本発明においては、シャーシの背面に位置するキャビネットを前記枢動部材に連結し、キャビネットとシャーシとを離反させる。これにより、キャビネットとシャーシとの間に配設してある部品、例えばシャーシの背面に取り付けてある回路基板の交換を行う。
【００１９】
本発明に係る表示装置は、前記シャーシは、前記発光体を取り付けるための第１シャーシ部と、該第１シャーシ部に対向する第２シャーシ部とを備えることを特徴とする。
【００２０】
本発明においては、第１シャーシ部を枢動させて、第１シャーシ部と第２シャーシ部とを離反させる。これにより、第１シャーシ部と第２シャーシ部との間に配設してある部品、例えば第２シャーシ部に取り付けてある回路基板の交換を行う。
【００２１】
本発明に係る表示装置は、前記第１シャーシ部の枢動を規制するシャーシ規制部材を備えることを特徴とする。
【００２２】
本発明においては、第１シャーシ部と第２シャーシ部との間に配設してある部品の交換又は保守を行わない場合には、第１シャーシ部の枢動をシャーシ規制部材により規制し、第１シャーシ部と第２シャーシ部との間に配設してある部品の交換又は保守を行う場合にのみ、第１シャーシ部を枢動させる。
【００２３】
本発明に係る表示装置は、前記第１シャーシ部と前記第２シャーシ部との位置を整合させるシャーシ整合部材を備えることを特徴とする。
【００２４】
本発明においては、第１シャーシ部と前記第２シャーシ部とを接近させる場合に、シャーシ整合部材により、第１シャーシ部と第２シャーシ部との位置を整合させる。
【００２５】
本発明に係る表示装置は、前記シャーシは矩形をなしており、該シャーシに対向する矩形のキャビネットを備え、該キャビネットの側部とキャビネットの前記側部に対向する前記シャーシの側部とを枢動可能に連結する連結部材を備えることを特徴とする。
【００２６】
本発明においては、矩形のシャーシと、矩形のキャビネットとを対向させて、キャビネットの側部とシャーシの側部とを連結部材を介して、枢動可能に連結する。このためシャーシを枢動させて、キャビネットとシャーシとを離反させ、キャビネットとシャーシとの間に配設してある部品、例えばシャーシに取り付けてある回路基板の交換を行う。
【００２７】
本発明に係る表示装置は、前記支持部に取り付ける脚部と、該脚部を着脱するための着脱部とを備えることを特徴とする。
【００２８】
本発明においては、前記脚部を着脱するための着脱部を前記支持部に設けることにより、前記発光体、光学シート等を交換するときに、前記着脱部に前記脚部を取り付けて、前記枢動部材を枢動させ、支持部から離反した表示パネル、光学シート等を前記脚部で支持する。また前記発光体、光学シート等の交換が終了し、前記表示パネル、光学シート等が支持部に固定されたときに前記脚部を取り外す。
【００２９】
本発明に係る表示装置は、前記脚部の端部に転動体が設けてあることを特徴とする。
【００３０】
本発明においては、前記脚部の端部に転動体、例えばキャスターを設けることにより、表示パネル、光学シート等の支持部に対する接離を円滑に行う。
【００３１】
本発明に係る表示装置は、映像を表示する表示パネルの正面側に設けてある枠体と、前記表示パネルの背面側に設けてあり、前記表示パネルを支持するパネル支持体と、該パネル支持体の背面側に設けてあり、発光体を支持するシャーシと、前記発光体の光を拡散して前記表示パネルに照射する光学シートとを備える表示装置において、前記枠体、表示パネル、パネル支持体、及び光学シートを連結してあり、前記光学シートの縁部分に沿う第１杆体と、該第１杆体に対向しており、前記シャーシの縁部分に沿う第２杆体と、前記第１杆体側を中心にして前記光学シートが枢動するように、前記第１杆体及び第２杆体を連結する枢動部材とを備えることを特徴とする。
【００３２】
本発明においては、表示パネルの正面側に設けてある枠体と、前記表示パネルの背面側に設けてあり、前記表示パネルを支持するパネル支持体と、該パネル支持体の背面側に設けてあり、発光体の光を拡散して前記表示パネルに照射する光学シートとを連結してユニットにし、前記光学シートの背面側に発光体を支持するシャーシを設け、また光学シートの縁部分に沿わせて第１杆体を設け、該第１杆体に対向させると共に前記シャーシの縁部分に沿わせて第２杆体を設け、前記第１杆体及び第２杆体を連結する枢動部材を設けることにより、発光体を交換するときに、前記第１杆体側を中心にして前記枠体、表示パネル、パネル支持体、及び光学シート（以下枠体、表示パネル、パネル支持体、及び光学シートを表示パネル等という）を枢動させて、前記シャーシから離反させ、離反させた状態で発光体を交換し、発光体の交換が終了したときに、表示パネル等を前記シャーシに接近させる。
【００３３】
本発明に係る表示装置は、前記枢動部材は、貫通孔を有しており、前記第１杆体の前記第２杆体側に固定される第１固定部と、貫通孔を有しており、前記第２杆体の前記第１杆体側に固定される第２固定部と、前記第１固定部の前記第２杆体側及び／又は前記第２固定部の前記第１杆体側に設けてある凹部と、前記第１固定部又は第２固定部の一方を、他方に設けてある前記凹部に配置し、前記第１固定部及び第２固定部にそれぞれ開設してある貫通孔に挿入して、前記第１固定部及び第２固定部を連結する軸体とを備えることを特徴とする。
【００３４】
本発明においては、前記第１杆体の前記第２杆体側に第１固定部を固定して、該第１固定部に貫通孔を開設し、前記第２杆体の前記第１杆体側に第２固定部を固定して、該第２固定部に貫通孔を開設し、前記第１固定部の前記第２杆体側及び／又は前記第２固定部の前記第１杆体側に凹部を設け、該凹部に前記第１固定部又は第２固定部の一方を配置し、前記第１固定部及び第２固定部にそれぞれ開設してある貫通孔に軸体を挿入して、前記第１固定部及び第２固定部を連結することにより、発光体を交換するときに、前記第１杆体側を中心にして表示パネル等を枢動させて、表示パネル等を前記シャーシから離反させ、離反させた状態で発光体を交換し、発光体の交換が終了したときに、表示パネル等を前記シャーシに接近させる。
【００３５】
本発明に係る表示装置は、前記枢動部材は、前記第１杆体の第２杆体側に固定される第１固定板部と、該第１固定板部の一縁部及び該一縁部に対向する他縁部から前記第２杆体側へ向けて、前記第１杆体の軸芯方向に対し垂直に延出しており、貫通孔を有する二つの第１延出板部と、前記第２杆体の第１杆体側に固定される第２固定板部と、該第２固定板部の一縁部及び該一縁部に対向する他縁部から前記第１杆体側へ向けて、前記第２杆体の軸芯方向に対し垂直に延出しており、貫通孔を有する二つの第２延出板部と、前記第１延出板部及び第２延出板部の貫通孔に挿入して、前記第１延出板部及び第２延出板部を連結する軸体とを備えることを特徴とする。
【００３６】
本発明においては、前記第１杆体の第２杆体側に第１固定板部を固定し、該第１固定板部の一縁部及び該一縁部に対向する他縁部から前記第２杆体側へ向けて、前記第１杆体の軸芯方向に対し垂直に延出している二つの第１延出板部を設けて、該第１延出板部に貫通孔を開設し、前記第２杆体の第１杆体側に第２固定板部を固定し、該第２固定板部の一縁部及び該一縁部に対向する他縁部から前記第１杆体側へ向けて、前記第２杆体の軸芯方向に対し垂直に延出している二つの第２延出板部を設けて、該第２延出板部に貫通孔を開設し、前記第１延出板部及び第２延出板部の貫通孔に軸体を挿入して、前記第１延出板部及び第２延出板部を連結することにより、発光体を交換するときに、前記第１杆体側を中心にして表示パネル等を枢動させて、表示パネル等を前記シャーシから離反させ、離反させた状態で発光体を交換し、発光体の交換が終了したときに、表示パネル等を前記シャーシに接近させる。
【００３７】
本発明に係る表示装置は、前記パネル支持体に取り付ける脚部と、該脚部を着脱するための着脱部とを備えることを特徴とする。
【００３８】
本発明においては、前記脚部を着脱するための着脱部を前記パネル支持体に設けることにより、前記発光体を交換するときに、前記着脱部に前記脚部を取り付けて、前記枢動部材を枢動させ、前記シャーシから離反した表示パネル等を前記脚部で支持し、前記発光体の交換が終了し、前記表示パネル等が前記シャーシに固定されたときに前記脚部を取り外す。
【００３９】
本発明に係る表示装置は、前記脚部の端部に転動体が設けてあることを特徴とする。
【００４０】
本発明においては、前記脚部の端部に転動体、例えばキャスターを設けることにより、表示パネル等の前記シャーシに対する接離を円滑に行う。
【００４１】
本発明に係る表示装置は、前記第１杆体及び第２杆体は筒形をなすことを特徴とする。
【００４２】
本発明においては、前記第１杆体及び第２杆体を筒形に形成して、前記第１杆体及び第２杆体の強度を向上させることができる。
【発明の効果】
【００４３】
本発明に係る表示装置にあっては、映像を表示するための表示パネルと、該表示パネルを支持する支持部を連結する枢動部材を設けて、表示パネルを取り外すことなく、表示パネルと支持部とを離反させる。そして支持部に設けてある部品の交換又は保守を行う。例えば液晶表示装置において、表示パネルとバックライトシャーシとを離反させて、バックライトシャーシに取り付けてある発光体を、表示パネルを取り外すことなく、短時間且つ少人数で交換することができる。
【００４４】
また表示パネルの正面側に設けてある枠体と、前記表示パネルの背面側に設けてあり、前記表示パネルを支持するパネル支持体と、該パネル支持体の背面側に設けてあり、発光体の光を拡散して前記表示パネルに照射する光学シートとを一体に連結し（以下、一体化した枠体、表示パネル、パネル支持体、及び光学シートを表示パネル等という）、前記光学シートの背面側に発光体を支持するシャーシを設け、また光学シートの縁部分に沿わせて第１杆体を設け、該第１杆体に対向させると共に前記シャーシの縁部分に沿わせて第２杆体を設け、前記第１杆体及び第２杆体を連結する枢動部材を設けることにより、発光体を交換するときに、前記第１杆体側を中心にして表示パネル等を枢動させ、前記シャーシから離反させた状態で発光体を交換し、発光体の交換が終了したときに、表示パネル等を前記シャーシに接近させる。このため、表示パネル等を取り外すことなく短時間且つ少人数で、発光体の交換を行うことができる。また前記表示パネル等を枢動しているときの表示パネル等の重量を、前記第１杆体及び第２杆体に負荷して、表示パネル等の重量による前記シャーシの変形を防止することができる。
【発明を実施するための最良の形態】
【００４５】
（実施の形態１）
以下本発明を実施の形態１に係る液晶表示装置の図面に基づいて詳述する。図１は液晶表示装置を示す模式的外観図、図２は図１に示すＩＩ―ＩＩ線での略示縦側面断面図、図３はクランパーの動作を説明する説明図、図４は図１に示すＩＶ―ＩＶ線での略示縦側面断面図、図５は枢動部材を示す模式的分解斜視図、図６は図１に示すＶＩ―ＶＩ線での略示横平面断面図、図７は枢動部材の枢動を説明する説明図、図８は着脱部を示す模式的部分断面図、図９はランプクリップに支持してある蛍光管を露出した状態を示す模式図である。
【００４６】
図において１は、液晶により画像を表示する矩形の表示パネルである。該表示パネル１の正面側に外装としてのフロントキャビネット２が設けてあり、背面側に外装としてのリヤキャビネット３が設けてある。前記両キャビネットの内側であって、前記表示パネル１の正面側周縁部にベゼル４が設けてある。該ベゼル４は、前記表示パネル１を配置する矩形開口４ａ′を、その中央部に開設してある矩形の環状板部４ａを備えており、また該環状板部４ａの外縁から背面側に延出している角筒部４ｂを備える。前記表示パネル１の背面側に、表示パネル１を支持するフレーム５を設けてある。該フレーム５は、前記表示パネル１を配置する矩形開口５ａ′を、その中央部に開設してある矩形の環状板部５ａを備えており、また該環状板部５ａの外縁から背面側に延出している角筒部５ｂを備える。前記環状板部５ａは、前記環状板部４ａの背面に対向している。また前記角筒部５ｂは前記角筒部４ｂの内側に位置している。なお前記ベゼル４、表示パネル１及びフレーム５は図示しない連結部材により連結されている。
【００４７】
前記環状板部４ａ及び環状板部５ａの間にて、前記矩形開口４ａ′及び矩形開口５ａ′に対応した位置に前記表示パネル１が配設してある。前記環状板部４ａと前記表示パネル１との間、及び前記環状板部５ａと前記表示パネル１との間には、前記表示パネル１を支持する複数の支持弾性体６、６、・・・がそれぞれ設けてある。前記環状板部４ａに貫通孔４０が開設してあり、該貫通孔４０に対応する貫通孔５０が前記環状板部５ａに設けてある。
【００４８】
前記環状板部５ａの背面側であって、前記貫通孔５０の近傍に、細長い角筒状のシート側補強体７が設けてある。該シート側補強体７は、前記角筒部５ｂの上側面５ｃの内側に沿って配置してある。前記シート側補強体７の正面側に、後述する光学シート９を支持する複数のシート支持板８、８、・・・８が設けてある。該シート支持板８、８、・・・８は前記環状板部５ａの背面近傍に位置している。前記シート支持板８、８、・・・８と前記シート側補強体７との間に、後述する蛍光管１５の光を拡散して表示パネル１に照射する矩形の光学シート９が挟着してある。なお上側面５ｃに対向する前記角筒部５ｂの下側面にもシート側補強体７を設けてある（図９参照）。また図４及び図９に示す如く、前記角筒部５ｂの内側に、前記上側面５ｃに直角な細長い角筒状の第１補強体８０が二つ設けてある。該第１補強体８０、８０は、前記光学シート９の左右両側に沿ってそれぞれ配置されている。
【００４９】
前記シート側補強体７の正面に、前記貫通孔４０、５０に対応する貫通孔７０が開設してある。前記シート側補強体７と、前記環状板部５ａとを連結する有底円筒状の連結ピン７１が、前記貫通孔５０、７０に嵌入してある。前記連結ピン７１の有底部７１ａが前記貫通孔７０に位置しており、前記連結ピン７１の円筒部７１ｂが前記貫通孔５０に位置している。また前記円筒部７１ｂは雌ねじになっており、前記円筒部７１ｂの開口は、前記貫通孔４０付近に位置している。前記貫通孔４０に正面側から雄ねじＡを挿入して、前記円筒部７１ｂに螺合させてある。該雄ねじＡの螺合により、前記ベゼル４、表示パネル１及びフレーム５と、前記シート側補強体７、７とが固定されている。また前記シート側補強体７、７と第１補強体８０、８０とは図示しない連結部材により、連結されている。以下、ベゼル４、表示パネル１、フレーム５、光学シート９、シート側補強体７、７及び第１補強体８０、８０をユニットＵ１という。
【００５０】
前記シート側補強体７、７の背面側に、複数の蛍光管１５を支持するバックライトシャーシ１０が設けてある。該バックライトシャーシ１０は矩形の背面板部１０ａを備えており、該背面板部１０ａの正面に、蛍光管１５を保持する複数のランプクリップ１６が設けてある。また前記バックライトシャーシ１０は、前記背面板部１０ａの周縁部から正面に向けて延出している角筒状の側面部１０ｂを備える。該側面部１０ｂは、前記角筒部４ｂの外側に周設してある。
前記角筒部５ｂの内側に、前記シート側補強体７、７及び背面板部１０ａに隣接させて、細長い角筒状の二つのシャーシ側補強体２０、２０が設けてある。該シャーシ側補強体２０、２０は、前記上側面５ｃ及び該上側面５ｃに対向する下側面（図示せず）に沿ってそれぞれ配置してある（図９参照）。前記シャーシ側補強体２０、２０は、前記背面板部１０ａの正面に設けてある固定板１７を介して、前記背面板部１０ａに固定してある。
【００５１】
前記第１補強体８０、８０から背面側に離反させて、細長い角筒状の二つの第２補強体９０、９０が設けてある。該第２補強体９０、９０は、前記第１補強体８０、８０に対向しており、前記背面板部１０ａの左右両側に沿ってそれぞれ配置されている。以下、前記固定板１７を介して連結されたバックライトシャーシ１０、シャーシ側補強体２０、２０及び第２補強体９０、９０をユニットＵ２という。
なお前記シャーシ側補強体２０、２０と前記第１補強体８０、８０とは図示しない連結部材により連結されている。また前記背面板部１０ａに、直流電流を交流電流に変換するインバータ１８を設けてあり、該インバータ１８は前記蛍光管１５に給電している。
【００５２】
前記上側面５ｃの中央部に開口部５ｂ′が設けてあり、該開口部５ｂ′に対応する開口部４ｂ′が前記角筒部４ｂに設けてある。該開口部４ｂ′、５ｂ′に前記ユニットＵ１と、前記ユニットＵ２とを固定するクランパー３０が設けてある。図３（ａ）に示す如く、該クランパー３０は、上側に配置してあるシャーシ側補強体２０の前記開口部５ｂ′側に設けてあるばね部３１を備えており、また上側に配置してあるシャーシ側補強体２０の前記開口部５ｂ′側であって、前記ばね部３１よりも正面側に配置してあるレバー部３２と、前記ばね部３１よりも背面側に配置してあるストッパ３３とを備える。なお前記クランパー３０は前記表示パネル１の枢動を規制する規制部材として機能する。
【００５３】
前記レバー部３２は正背面方向に回動自在に設けてあり、また前記ばね部３１に連結されている。前記レバー部３２に背面方向への力を付与したときに、前記レバー部３２は前記ばね部３１の付勢力に抗して回動し、レバー部３２に設けてあるストッパ受部（図示せず）が前記ストッパ３３に掛止される。また前記レバー部３２の前記ストッパ３３への掛止を解除したときに、前記レバー部３２は前記ばね部３１の付勢力により、正面側に回動する。また前記クランパー３０は、上側に配置してあるシート側補強体７の前記開口部５ｂ′側に設けてある突起部（図示せず）を備えている。また前記クランパー３０は、前記レバー部３２に枢着されており、該突起部に掛止する掛止部３４を備える。
【００５４】
次にクランパー３０の動作について説明する。前記クランパー３０により、前記ユニットＵ１及びユニットＵ２を固定するときには、前記掛止部３４を前記突起部に掛止し（図３（ａ）参照）、図３（ｂ）の白抜矢符にて示す如く、前記レバー部３２に背面方向への力を付与し、前記レバー部３２を、前記ばね部３１の付勢力に抗して背面方向に回動させる。そして前記レバー部３２を前記ストッパ３３に掛止する（図３（ｃ）参照）。
前記ユニットＵ１及びユニットＵ２の固定を解除するときには、図３（ｂ）の破線矢符にて示す如く、前記レバー部３２に正面側への力を付与して、前記レバー部３２の前記ストッパ３３への掛止を解除する。そして前記ばね部３１の付勢力により、前記レバー部３２を正面側に回動させる（図３（ａ）参照）。このとき前記掛止部３４が回動し、前記掛止部３４の前記突起部への掛止が解除され、前記ユニットＵ１及びユニットＵ２の固定が解除される。
【００５５】
図９に示すように、左側に配置してある第１補強体８０と左側に配置してある第２補強体９０との間には、複数の枢動部材１００、１００、・・・１００が並設してある。前記枢動部材１００は、図４及び図５に示すように、前記第１補強体８０に固定してある第１固定部１０１と、前記第２補強体９０に固定してある第２固定部１０２とを備えており、また前記第１固定部１０１及び第２固定部１０２を連結する軸体１０３を備える。
【００５６】
図４及び図５に示すように、前記第１固定部１０１は、左側に配置してある第１補強体８０の背面側に固定される矩形の第１固定板部１０１ａを備えている。該第１固定板部１０１ａの長辺は、前記第１補強体８０の軸芯方向に対し平行になっている。また前記第１固定部１０１は、前記第１固定板部１０１ａの両短辺から背面方向にそれぞれ延出している二つの第１延出板部１０１ｂ、１０１ｃを備える。該第１延出板部１０１ｂに貫通孔１０１ｄが設けてあり、該貫通孔１０１ｄに対応する貫通孔１０１ｅが、前記第１延出板部１０１ｃに設けてある。なお前記第１固定板部１０１ａ、及び第１延出板部１０１ｂ、１０１ｃにより、凹部１０１ｆが形成されている。
【００５７】
前記第２固定部１０２は、左側に配置してある第２補強体９０の正面側に固定される矩形の第２固定板部１０２ａを備えている。該第２固定板部１０２ａの長辺は、前記第２補強体９０の長手方向に対し平行になっている。また前記第２固定部１０２は、前記第２固定板部１０２ａの両短辺から正面方向にそれぞれ延出している二つの第２延出板部１０２ｂ、１０２ｃを備える。前記第２延出板部１０２ｂに貫通孔１０２ｄが設けてあり、該貫通孔１０２ｄに対応する貫通孔１０２ｅが、前記第２延出板部１０２ｃに設けてある。なお、前記第２延出板部１０２ｂから前記第２延出板部１０２ｃまでの幅は、前記第１延出板部１０１ｂから前記第１延出板部１０１ｃまでの幅よりも狭くなっている。
【００５８】
前記第２固定部１０２は、前記第２延出板部１０２ｂ、１０２ｃを前記凹部１０１ｆに配置してあり、前記貫通孔１０２ｄ、１０２ｅの位置は、前記貫通孔１０１ｄ、１０１ｅの位置に整合させてある。また各貫通孔１０１ｄ、１０１ｅ、１０２ｄ、１０２ｅに、前記軸体１０３を挿入してある。挿入した軸体１０３の一端部には、円盤状の頭部１０３ａが設けてあり、該頭部１０３ａにより、前記軸体１０３を第１固定部１０１に係止してある。また軸体１０３の他端部には、軸芯に直角な孔部１０３ｂが貫通して設けてあり、該孔部１０３ｂに、前記軸体１０３の抜け落ちを防止するピン１０４が嵌入してある。
【００５９】
前記ユニットＵ１及びユニットＵ２の連結を解除し、前記ユニットＵ１に正面側への力を付与したときに、図７の実線矢符にて示す如く、前記第１固定部１０１が前記軸体１０３を介して枢動し、前記ユニットＵ１が前記ユニットＵ２から離反する。また前記ユニットＵ１に背面側への力を付与したときに、図７の破線矢印にて示す如く、前記ユニットＵ１が前記ユニットＵ２に接近する。
【００６０】
図８に示す如く、前記上側面５ｃ（図２参照）に対向する下側面の右側に、二つの凹部が設けてある。該凹部は後述する棒状の脚部５３を着脱する着脱部５ｅ、５ｅになっている。該着脱部５ｅ、５ｅには、脚部５３を挟持する複数の弾性体５ｄ、５ｄ、・・・が設けてある。
前記ユニットＵ１と前記ユニットＵ２との連結を解除するときに、前記ユニットＵ１を支持する脚部５３の一端部が前記着脱部５ｅに装着される。該脚部５３の他端部には、脚部５３の軸周りに回転する枢軸５１が設けてあり、該枢軸５１にキャスター５２が設けてある。
【００６１】
次に蛍光管の交換について説明する。
蛍光管１５を交換するときには、まず前記フロントキャビネット２及びリヤキャビネット３を取り外す。そして前記着脱部５ｅに前記脚部５３を装着する。次に前記レバー部３２を正面側に回動させて、前記ユニットＵ１と前記ユニットＵ２との連結を解除する。そして前記枢動部材１００を中心に前記ユニットＵ１を正面側に枢動させる。このとき前記キャスター５２により前記ユニットＵ１は円滑に枢動する（図９参照）。該枢動により前記ユニットＵ１は前記ユニットＵ２から離反し、前記ランプクリップ１６に保持されている蛍光管１５が露出する。露出した蛍光管１５を他の蛍光管１５に交換し、交換作業が終了したときに前記ユニットＵ１を背面側に枢動させる。そして前記ユニットＵ１と前記ユニットＵ２とを、前記クランパー３０により固定し、前記脚部５３を前記着脱部５ｅから取り外す。
なおバックライトシャーシ１０及びフレーム５付近の適所に、塵埃の侵入を防ぐ弾性部材Ｓが設けてあり、例えばシャーシ側補強体２０、２０及び第２補強体９０、９０の外側面、並びに第１補強体８０、８０とシート側補強体７、７との連結部分に弾性部材Ｓが設けてある。
【００６２】
実施の形態１に係る液晶表示装置にあっては、蛍光管１５を支持するバックライトシャーシ１０の正面側に、光を拡散する光学シート９を配置し、該光学シート９の正面側に映像を表示する表示パネル１を支持するフレーム５を設け、該フレーム５の正面側にベゼル４を設け、前記ベゼル４、表示パネル１、フレーム５、及び光学シート９を連結して、前記ベゼル４、表示パネル１、フレーム５、及び光学シート９をユニットＵ１にし、前記光学シート９の一側に沿って第１補強体８０を設け、前記バックライトシャーシ１０の一側に沿って、前記第１補強体８０に対向する第２補強体９０を設け、前記第１補強体８０及び第２補強体９０の間に枢動部材１００を設けることにより、蛍光管１５を交換するときに、前記枢動部材１００を介して前記ユニットＵ１を枢動させ、前記バックライトシャーシ１０から離反させて、前記蛍光管１５を交換し、蛍光管１５の交換が終了したときに、前記ユニットＵ１を前記バックライトシャーシ１０に接近させて、前記ユニットＵ１を取り外すことなく短時間且つ少人数で、蛍光管１５の交換を行うことができ、また前記ユニットＵ１を枢動しているときの前記ユニットＵ１の重量を、前記第１補強体８０及び前記第２補強体９０に負荷して、前記バックライトシャーシ１０の変形を防止することができる。
【００６３】
また前記第１補強体８０に固定される第１固定部１０１と、前記第２補強体９０に固定される第２固定部１０２とを備え、前記第１固定部１０１の前記第２補強体９０側に凹部１０１ｆを設けてあり、前記２固定部１０２を前記凹部１０１ｆに配置し、前記第１固定部１０１及び第２固定部１０２にそれぞれ開設してある複数の貫通孔に挿入して、前記第１固定部１０１及び第２固定部１０２を枢動可能に連結する軸体１０３を備える枢動部材１００を設けることにより、蛍光管１５を交換するときに、前記枢動部材１００を介して前記ユニットＵ１を枢動させ、前記バックライトシャーシ１０から離反させて、前記蛍光管１５を交換し、蛍光管１５の交換が終了したときに、前記ユニットＵ１を前記バックライトシャーシ１０に接近させて、前記ユニットＵ１を取り外すことなく短時間且つ少人数で、蛍光管１５の交換を行うことができ、また前記ユニットＵ１を枢動しているときの前記ユニットＵ１の重量を、前記第２補強体９０に負荷して、前記バックライトシャーシ１０の変形を防止することができる。
【００６４】
また前記第１補強体８０に第１固定板部１０１ａを固定し、該第１固定板部１０１ａから前記第２補強体９０へ向けて、前記第１補強体８０の軸芯方向に対し垂直に延出している二つの第１延出板部１０１ｂ、１０１ｃを設けて、該第１延出板部１０１ｂ、１０１ｃに貫通孔１０１ｄ、１０１ｅを開設し、前記第２補強体９０に第２固定板部１０２ａを固定し、該第２固定板部１０２ａから前記第１補強体８０側へ向けて、前記第２補強体９０の軸芯方向に対し垂直に延出している二つの第２延出板部１０２ｂ、１０２ｃを設けて、該第２延出板部１０２ｂ、１０２ｃに貫通孔１０２ｄ、１０２ｅを開設し、前記貫通孔１０１ｄ、１０１ｅ、１０２ｄ、１０２ｅに軸体１０３を挿入して、前記第１延出板部１０１ｂ、１０１ｃ及び第２延出板部１０２ｂ、１０２ｃを連結することにより、蛍光管１５を交換するときに、前記枢動部材１００を介して前記ユニットＵ１を枢動させて、前記ユニットＵ１を前記バックライトシャーシ１０から離反させ、蛍光管１５の交換が終了したときに、前記ユニットＵ１を前記バックライトシャーシ１０に接近させて、前記ユニットＵ１を取り外すことなく短時間且つ少人数で、蛍光管１５の交換を行うことができ、また前記ユニットＵ１を枢動しているときの前記ユニットＵ１の重量を、前記第２補強体９０に負荷して、前記バックライトシャーシ１０の変形を防止することができる。
【００６５】
また前記ユニットＵ１を支持する脚部５３を着脱するための着脱部５ｅを、前記フレーム５に設けることにより、前記蛍光管１５を交換するときに、前記着脱部５ｅに前記脚部５３を取り付けて、前記枢動部材１００を枢動させ、前記バックライトシャーシ１０から離反した前記ユニットＵ１を、前記脚部５３で支持し、前記蛍光管１５の交換が終了し、前記ユニットＵ１が前記ユニットＵ２に固定されたときに前記脚部５３を取り外して、蛍光管１５を交換するときに前記ユニットＵ１の重量で前記バックライトシャーシ１０が変形することを防ぐことができ、また前記ユニットＵ１を支えるための人員を削減して少人数で前記蛍光管１５の交換を行うことができる。
【００６６】
また前記脚部５３の端部にキャスター５２を設けることにより、前記ユニットＵ１の前記バックライトシャーシ１０に対する接離を円滑にして、前記蛍光管１５の交換を短時間で行うことができる。
【００６７】
また前記第１補強体８０及び第２補強体９０を筒形に形成してあるので、前記第１補強体８０及び前記第２補強体９０は前記ユニットＵ１を支えるには十分な強度を有しており、ユニットＵ１の重量によるバックライトシャーシ１０の変形を確実に防止することができる。
【００６８】
なお前記第２延出板部１０２ｂから前記第２延出板部１０２ｃまでの幅を、前記第１延出板部１０１ｂから前記第１延出板部１０１ｃまでの幅よりも広くして、前記第２固定板部１０２ａ、及び第２延出板部１０２ｂ、１０２ｃにより形成された凹部に、第１固定部１０１を配置する構成にしても良い。また前記第１延出板部１０１ｂ、１０１ｃ及び第２延出板部１０２ｂ、１０２ｃを互い違いに配置して、軸体１０３により連結しても良い。また各補強体の形状は筒状に限らず、Ｌ形又はＴ形等の断面形状を備える杆体であってもよい。
【００６９】
また前記キャスター５２にはキャスター５２の転動を停止させる停止部材を設けても良い。また前記脚部５３には、キャスター５２に替えてゴム体を取り付けても良く、脚部５３は伸縮可能に構成しても良い。また着脱部として、脚部５３を挟持する部材をベゼル４に取り付けても良い。
また複数の蛍光管１５に代えて、多数の白色ＬＥＤ等を備えるＬＥＤパネルを複数設けても良く、この場合、クランパー３０の掛止を解除して、不具合を生じたＬＥＤパネルを交換することができる。
【００７０】
また液晶表示装置以外の表示装置に枢動部材１００を設けても良く、例えばプラズマディスプレイの場合であれば、プラズマディスプレイパネルと該プラズマディスプレイパネルを支持するシャーシとを前記枢動部材１００にて連結しても良い。この場合、クランパー３０の掛止を解除して、前記プラズマディスプレイパネルと前記シャーシとを離反させて、プラズマディスプレイパネルの清掃及びシャーシに取り付けてある回路基板の交換を、プラズマディスプレイパネルを取り外さずに行うことができる。またプラズマディスプレイパネルの正面に配置され、プラズマディスプレイパネルが発する光を透過して映像を表示する光学フィルタを、プラズマディスプレイパネル及びシャーシを含むユニットに支持させて、光学フィルタと前記ユニットとを枢動部材１００にて連結してもよい。この場合、光学フィルタとプラズマディスプレイパネルとを離反させて、プラズマディスプレイパネルの清掃及び光学フィルタの交換を、光学フィルタ及びプラズマディスプレイパネルを取り外さずに行うことができる。
【００７１】
次に実施の形態１に係る液晶表示装置の変形例について説明する。図１０は実施の形態１に係る液晶表示装置の変形例に使用される枢動部材を示す模式的分解斜視図である。枢動部材１００は、前記第２補強体９０に固定される第２固定部１０２′を備えている。該第２固定部１０２′はブロック状の本体部１０２′ａと、該本体部１０２′ａに設けてあり、前記貫通孔１０１ｄ及び貫通孔１０１ｅに対応する貫通孔１０２′ｂとを備える。前記軸体１０３を前記貫通孔１０１ｄ、貫通孔１０１ｅ及び貫通孔１０２′ｂに挿通し、前記ユニットＵ１及びユニットＵ２を枢動させる構成にしてある。
【００７２】
（実施の形態２）
以下本発明を実施の形態２に係る液晶表示装置を示す図面に基づいて詳述する。図１１はフレームを取り外した液晶表示装置の略示縦側面断面図、図１２はフレームを取り外した液晶表示装置の略示縦側面断面図、図１３はフレームを取り外した状態での液晶表示装置の略示正面図、図１４は枢動部材を示す模式的分解斜視図、図１５は液晶表示装置の略示横平面断面図、図１６は枢動部材の枢動を説明する説明図、図１７は光学シートを露出した状態を示す模式図である。
【００７３】
図１１、図１２及び図１７に示すように、前記第１補強体８０、８０及びシート側補強体７、７の正面に、複数の段付きボス３５、３５、・・・３５が正面に突出している。該段付きボス３５は、前記第１補強体８０、８０の正面又はシート側補強体７、７の正面から突出した大径円柱部３５ａと、該大径円柱部３５ａの先端に連なる小径円柱部３５ｂとを備えている。
【００７４】
前記光学シート９の周縁部には、前記段付きボス３５、３５、・・・３５に対応する貫通孔を設けてあり、該貫通孔に前記段付きボス３５、３５、・・・３５を挿通して、光学シート９を係止してある。また光学シート９の正面に、前記シート支持板８、８、・・・８を配置し、ビス８ａ、８ａ、・・・８ａによりシート支持板８、８、・・・８を前記第１補強体８０、８０及びシート側補強体７、７にビス止めして、光学シート９を固定してある。
【００７５】
また図１１及び図１７に示すように、前記段付きボス３５、３５、・・・３５に対応する位置決め孔３６、３６、・・・３６が前記環状板部５ａに開設してある。前記位置決め孔３６の直径は小径円柱部３５ｂの直径に整合させてあり、小径円柱部３５ｂを位置決め孔３６に挿入してある。なお前記段付きボス３５及び位置決め孔３６は、前記表示パネル１と前記シート側補強体７及び第１補強体８０との位置を整合させる位置決め部材として機能している。
【００７６】
次に枢動部材１００の構成について説明する。図１４に示すように、枢動部材１００は第３固定部１０６を備える。該第３固定部１０６は、前記角筒部５ｂの内側面に固定される矩形の第３固定板部１０６ａを備えている。また該第３固定板部１０６ａの一縁部分の端部から、第３固定板部１０６ａに直角な第３延出板部１０６ｂが延出している。該延出板部１０６ｂに対向しており、第３固定板部１０６ａに直角な第３延出板部１０６ｃが、第３固定板部１０６ａの他縁部分の端部から延出している。前記第３延出板部１０６ｂに貫通孔１０６ｄが設けてあり、該貫通孔１０６ｄに対応する貫通孔１０６ｅが第３延出板部１０６ｃに設けてある。前記第３延出板部１０６ｂから前記第３延出板部１０６ｃまでの幅は、前記第１延出板部１０１ｂから前記第１延出板部１０１ｃまでの幅よりも広くなっている。
【００７７】
前記貫通孔１０６ｄ及び１０６ｅ、前記貫通孔１０２ｄ及び貫通孔１０２ｅ並びに前記貫通孔１０１ｄ及び１０１ｅの位置は、互いに整合させてあり、各貫通孔に前記軸体１０３を挿入してある。
【００７８】
前記雄ねじＡを前記円筒部７１ｂから取り外して、前記ベゼル４、表示パネル１及びフレーム５に正面側への力を付与したときに、図１６の実線矢符にて示す如く、前記第３固定部１０６は前記軸体１０３を介して枢動し、前記ベゼル４、表示パネル１及びフレーム５が前記光学シート９から離反する。また前記ベゼル４、表示パネル１及びフレーム５に背面側への力を付与したときに、図１６の破線矢符にて示す如く、前記ベゼル４、表示パネル１及びフレーム５は前記光学シート９に接近する。なお前記クランパー３０のみならず前記雄ねじＡも前記表示パネル１の枢動を規制する規制部材として機能する。
【００７９】
次に光学シート９の交換方法について説明する。
まず前記雄ねじＡを前記円筒部７１ｂから取り外して、前記ベゼル４、表示パネル１及びフレーム５を前記光学シート９から離反させ、光学シート９を露出させる（図１３参照）。次に前記ビス８ａ、８ａ、・・・８ａを取り外して、シート支持板８、８、・・・８を取り外す（図１７参照）。そして光学シート９を前記段付きボス３５、３５、・・・３５から取り外して新たな光学シート９に交換する。
交換が終了した場合には、前記シート支持板８、８、・・・８を取り付け、前記ベゼル４、表示パネル１及びフレーム５を前記光学シート９に接近させる。このとき、前記位置決め孔３６、３６、・・・３６に、前記段付きボス３５、３５、・・・３５を挿入して、前記フレーム５と前記光学シート９との位置決めを行う。
【００８０】
なお前記雄ねじＡを前記円筒部７１ｂに螺合した状態で、前記クランパー３０による掛止を解除した場合には、実施の形態１と同様に、前記光学シート９とバックライトシャーシ１０とを離反させて、前記蛍光管１５を露出させることができる。
【００８１】
実施の形態２に係る液晶表示装置にあっては、枢動部材１００に、前記表示パネル１、光学シート９及びバックライトシャーシ１０をそれぞれ連結して、前記表示パネル１、光学シート９及びバックライトシャーシ１０を取り外すことなく、前記表示パネル１、光学シート９及びバックライトシャーシ１０を互いに離反させる。例えば前記表示パネル１と前記光学シート９とを離反させて、前記表示パネル１を取り外すことなく、光学シート９を短時間且つ少人数で交換することができる。また表示パネル１と光学シート９とを離反させた場合に、表示パネル１の重量を第１補強体８０及び第２補強体９０に負荷して、表示パネル１の重量によって液晶表示装置が変形することを防止することができる。
【００８２】
また蛍光管１５を交換する場合には、前記雄ねじＡを前記円筒部７１ｂに螺合して、前記表示パネル１と前記光学シート９とを連結し、前記表示パネル１が独立して枢動することを規制して、前記光学シート９及びバックライトシャーシ１０のみを離反させて、蛍光管１５の交換を円滑に行うことができる。また光学シート９の交換又は保守を行う場合には、前記クランパー３０を掛止させた状態で前記雄ねじＡを前記円筒部７１ｂから取り外して、前記表示パネル１及び前記光学シート９のみを離反させて、光学シート９の交換を円滑に行うことができる。従って必要に応じて離反させる部材を選択することができる。
【００８３】
また光学シート９の交換が終了し、前記ベゼル４、表示パネル１及びフレーム５を前記光学シート９に接近させる場合に、前記段付きボス３５を前記位置決め孔３６に挿通して、前記フレーム５と前記光学シート９との位置を整合させることができる。
【００８４】
実施の形態２に係る液晶表示装置の構成の内、実施の形態１と同様な構成については同じ符号を付し、その詳細な説明を省略する。
【００８５】
（実施の形態３）
以下本発明を実施の形態３に係る液晶表示装置を示す図面に基づいて詳述する。図１８は液晶表示装置の略示横平面断面図、図１９は液晶表示装置の枢動部材を示す模式的分解斜視図、図２０は液晶表示装置の枢動部材の枢動を説明する説明図である。
【００８６】
前記バックライトシャーシ１０は、蛍光管１５を取り付けるための矩形の第１シャーシ部１１と、回路基板１２ａを取り付けるための矩形の第２シャーシ部１２とを備えている。第１シャーシ部１１は、前記シャーシ側補強体２０の背面側に配置してあり、第１シャーシ部１１の正面に蛍光管１５が取り付けてある。第１シャーシ部１１の左側部に、正面側に延出した側面板部１１ａが形成されている。該側面板部１１ａは、前記第２補強体９０に対して上下に隣接している。
【００８７】
また前記第２シャーシ部１２は、第１シャーシ部１１の背面側にて、第１シャーシ部１１に対向している。第２シャーシ部１２の正面に、液晶表示装置を駆動させるための複数の回路基板１２ａ、１２ａ、・・・、１２ａが取り付けてあり、該回路基板１２ａ、１２ａ、・・・、１２ａは、第１シャーシ部１１及び第２シャーシ部１２の間に配設されている。
【００８８】
第２シャーシ部１２には貫通穴１２ｂが開設しており、該貫通穴１２ｂに対応する有底円筒形のボス部１１ｂが、第１シャーシ部１１の背面から突出している。ボス部１１ｂは貫通穴１２ｂに挿入してあり、ボス部１１ｂの内側面には、雌ねじが形成されている。該雌ねじに、雄ねじＢが螺合しており、第１シャーシ部１１と第２シャーシ部１２とが固定されている。
【００８９】
前記側面板部１１ａの左側面は、前記第２補強体９０に対して上下に隣接している。また側面板部１１ａの右側面には、第４固定部１０７が連結してある。
【００９０】
次に枢動部材１００の構成について説明する。図１９に示すように、枢動部材１００は第４固定部１０７を備える。該第４固定部１０７は、前記側面板部１１ａの右側面に固定される矩形の第４固定板部１０７ａを備えている。また該第４固定板部１０７ａの一縁部分の端部から、第４固定板部１０７ａに直角な第４延出板部１０７ｂが延出している。該延出板部１０７ｂに対向しており、第４固定板部１０７ａに直角な第４延出板部１０７ｃが、第４固定板部１０７ａの他縁部分の端部から延出している。前記第４延出板部１０７ｂに貫通孔１０７ｄが設けてあり、該貫通孔１０７ｄに対応する貫通孔１０７ｅが第４延出板部１０７ｃに設けてある。前記第４延出板部１０７ｂから前記第４延出板部１０７ｃまでの幅は、前記第３延出板部１０６ｂから前記第３延出板部１０６ｃまでの幅よりも広くなっている。
【００９１】
前記貫通孔１０７ｄ及び１０７ｅ、前記貫通孔１０６ｄ及び１０６ｅ、前記貫通孔１０２ｄ及び貫通孔１０２ｅ並びに前記貫通孔１０１ｄ及び１０１ｅの位置は、互いに整合させてあり、各貫通孔に前記軸体１０３を挿入してある。
【００９２】
前記雄ねじＢを前記ボス部１１ｂから取り外して、第１シャーシ部１１に正面側への力を付与したときに、図２０の実線矢符にて示す如く、前記第４固定部１０７は前記軸体１０３を介して枢動し、第１シャーシ部１１が第２シャーシ部１２から離反する。また第１シャーシ部１１に背面側への力を付与したときに、図２０の破線矢符にて示す如く、第１シャーシ部１１は第２シャーシ部１２に接近する。
【００９３】
実施の形態３に係る液晶表示装置にあっては、回路基板１２ａを交換するときに、第１シャーシ部１１を枢動させて、第２シャーシ部１２を取り外すことなく、第１シャーシ部１１と第２シャーシ部１２とを離反させることができる。また回路基板１２ａの交換が終了したときには、第１シャーシ部１１と第２シャーシ部１２とを接近させることができる。これにより、第１シャーシ部１１と第２シャーシ部１２との間に配設してある回路基板１２ａを、短時間且つ少人数で交換することができる。また第１シャーシ部１１が枢動しているときに、第１シャーシ部１１の重量を、前記第２補強体９０に負荷して、第２シャーシ部１２の変形を防止することができる。
【００９４】
また第１シャーシ部１１と第２シャーシ部１２との間に配設してある回路基板１２ａの交換又は保守を行わない場合には、第１シャーシ部１１の枢動を雄ねじＢにより規制し、第１シャーシ部１１と第２シャーシ部１２との間に配設してある回路基板１２ａの交換又は保守を行う場合にのみ、第１シャーシ部１１を枢動させることができる。
【００９５】
また第１シャーシ部１１と第２シャーシ部１２とを接近させる場合に、ボス１１ｂを貫通穴１２ｂに挿入して、第１シャーシ部１１と第２シャーシ部１２との位置を整合させることができる。
【００９６】
なお実施の形態３に係る液晶表示装置にあっては、第１シャーシ部１１に、図示しない脚部とキャスターとが取り付けてある。また実施の形態３に係る液晶表示装置は、回路基板１２ａを第２シャーシ部１２に取り付けているが、第１シャーシ部１１の背面に回路基板を取り付けても良い。
【００９７】
実施の形態３に係る液晶表示装置の構成の内、実施の形態１又は２と同様な構成については同じ符号を付し、その詳細な説明を省略する。
【００９８】
（実施の形態４）
以下本発明を実施の形態４に係る液晶表示装置を示す図面に基づいて詳述する。図２１はフレームと光学シートとが離反している状態及びリヤキャビネットとバックライトシャーシとが離反している状態を示す模式的斜視図である。
バックライトシャーシ１０の背面側に、矩形のリヤキャビネット１３が設けてある。また枢動部材１００は、図示しない第５固定部材を備えており、該第５固定部材は、リヤキャビネット１３の左側部に連結している。リヤキャビネット１３は、左側部を支点にして回動する。
【００９９】
実施の形態４に係る液晶表示装置にあっては、リヤキャビネット１３を取り外すことなく、バックライトシャーシ１０の背面に位置するリヤキャビネット１３を枢動させて、リヤキャビネット１３とバックライトシャーシ１０とを離反させる。これにより、リヤキャビネット１３とバックライトシャーシ１０との間に配設してある部品、例えばバックライトシャーシ１０の背面に取り付けてある回路基板の交換を短時間且つ少人数で行うことができる。また回路基板の交換が終了した場合に、リヤキャビネット１３とバックライトシャーシ１０とを接近させることができる。またリヤキャビネット１３が枢動しているときに、リヤキャビネット１３の重量を、前記第２補強体９０に負荷して、バックライトシャーシ１０の変形を防止することができる。
【０１００】
実施の形態４に係る液晶表示装置の構成の内、実施の形態１乃至３と同様な構成については同じ符号を付し、その詳細な説明を省略する。
【０１０１】
（実施の形態５）
以下本発明を実施の形態５に係る液晶表示装置を示す図面に基づいて詳述する。図２２は液晶表示装置の略示横平面断面図、図２３は液晶表示装置の枢動部材の枢動を説明する説明図、図２４は爪部及び係合凹部の係合を説明する模式的横平面断面図である。
バックライトシャーシ１０の左側面に、複数のヒンジ支持棒１３ａ、１３ａ、・・・、１３ａが上下に並設してある。ヒンジ支持棒１３ａ、１３ａ、・・・、１３ａは、左向きに突出しており、ヒンジ支持棒１３ａ、１３ａ、・・・、１３ａの突出端に、複数のヒンジ部材１３ｂ、１３ｂ、・・・、１３ｂが、それぞれ支持されている。該ヒンジ部材１３ｂ、１３ｂ、・・・、１３ｂに、筐形のリヤキャビネット１３の左側面部が連結している。リヤキャビネット１３の右側面部には、右向きに突出した爪部１３ｃが設けてある。また表示パネル１の正面側に、表示パネル１に対応した開口を有する筐形のフロントキャビネット１４が設けてある。フロントキャビネット１４の左右の寸法は、リヤキャビネット１３の左右の寸法よりも大きくなっており、フロントキャビネット１４の内側にリヤキャビネット１３は位置している。フロントキャビネット１４の右側面部の内側に係合凹部１４ａが設けてあり、図２４（ａ）に示すように、係合凹部１４ａに爪部１３ｃが係合している。またバックライトシャーシ１０の背面には、複数の回路基板１０ｂ、１０ｂ、・・・、１０ｂが取り付けてある。
【０１０２】
前記爪部１３ｃを係合凹部１４ａから外して、リヤキャビネット１３に背面側への力を付与したときに、図２３及び図２４（ｂ）の実線矢符にて示す如く、リヤキャビネット１３はヒンジ部材１３ｂを介して枢動し、バックライトシャーシ１０とリヤキャビネット１３とが離反する。またリヤキャビネット１３に正面側への力を付与したときに、図２３及び図２４（ｂ）の破線矢符にて示す如く、バックライトシャーシ１０とリヤキャビネット１３とが接近する。
【０１０３】
実施の形態５に係る液晶表示装置にあっては、回路基板１０ｂ、１０ｂ、・・・、１０ｂの交換をするときに、リヤキャビネット１３を取り外すことなく、バックライトシャーシ１０の背面に位置するリヤキャビネット１３を枢動させて、キャビネット１３とバックライトシャーシ１０とを離反させる。また回路基板１０ｂ、１０ｂ、・・・、１０ｂの交換が終了したときに、バックライトシャーシ１０とリヤキャビネット１３とを接近させる。これにより、バックライトシャーシ１０の背面に取り付けてある回路基板１０ｂ、１０ｂ、・・・、１０ｂの交換を短時間且つ少人数で行うことができる。
【０１０４】
なお実施の形態５に係る液晶表示装置は、バックライトシャーシ１０の背面に回路基板１０ｂを取り付けているが、キャビネット１３の正面に回路基板を取り付けても良い。
【０１０５】
実施の形態５に係る液晶表示装置の構成の内、実施の形態１乃至４と同様な構成については同じ符号を付し、その詳細な説明を省略する。
【図面の簡単な説明】
【０１０６】
【図１】実施の形態１に係る液晶表示装置を示す模式的外観図である。
【図２】図１に示すＩＩ―ＩＩ線での略示縦側面断面図である。
【図３】実施の形態１に係る液晶表示装置の、クランパーの動作を説明する説明図である。
【図４】図１に示すＩＶ―ＩＶ線での略示縦側面断面図である。
【図５】実施の形態１に係る液晶表示装置の枢動部材を示す模式的分解斜視図である。
【図６】図１に示すＶＩ―ＶＩ線での略示横平面断面図である。
【図７】実施の形態１に係る液晶表示装置の枢動部材の枢動を説明する説明図である。
【図８】実施の形態１に係る液晶表示装置の着脱部を示す模式的部分断面図である。
【図９】実施の形態１に係る液晶表示装置のランプクリップに支持してある蛍光管を露出した状態を示す模式図である。
【図１０】実施の形態１に係る液晶表示装置の変形例に使用される枢動部材を示す模式的分解斜視図である。
【図１１】実施の形態２に係る液晶表示装置のフレームを取り外した表示装置の略示縦側面断面図である。
【図１２】実施の形態２に係る液晶表示装置のフレームを取り外した表示装置の略示縦側面断面図である。
【図１３】実施の形態２に係る液晶表示装置のフレームを取り外した状態での略示正面図である。
【図１４】実施の形態２に係る液晶表示装置の枢動部材を示す模式的分解斜視図である。
【図１５】実施の形態２に係る液晶表示装置の略示横平面断面図である。
【図１６】実施の形態２に係る液晶表示装置の枢動部材の枢動を説明する説明図である。
【図１７】実施の形態２に係る液晶表示装置の光学シートを露出した状態を示す模式図である。
【図１８】実施の形態３に係る液晶表示装置の略示横平面断面図である。
【図１９】実施の形態３に係る液晶表示装置の枢動部材を示す模式的分解斜視図である。
【図２０】実施の形態３に係る液晶表示装置の枢動部材の枢動を説明する説明図である。
【図２１】実施の形態４に係る液晶表示装置において、フレームと光学シートとが離反している状態及びリヤキャビネットとバックライトシャーシとが離反している状態を示す模式的斜視図である。
【図２２】実施の形態５に係る液晶表示装置の略示横平面断面図である。
【図２３】実施の形態５に係る液晶表示装置の枢動部材の枢動を説明する説明図である。
【図２４】実施の形態５に係る液晶表示装置の爪部及び係合凹部の係合を説明する模式的横平面断面図である。
【符号の説明】
【０１０７】
１  表示パネル
４  ベゼル（枠体）
５  フレーム（パネル支持体）
８  シート支持板
５ｅ  着脱部
９  光学シート
１０  バックライトシャーシ（シャーシ）
１１  第１シャーシ部
１１ｂ  ボス部（シャーシ整合部材）
１２  第２シャーシ部
１３  リヤキャビネット（キャビネット）
１３ｂ  ヒンジ部材（連結部材）
１５  蛍光管（発光体）
３０  クランパー（規制部材）
３５  段付きボス（位置決め部材）
３６  位置決め孔（位置決め部材）
５２  キャスター（転動体）
５３  脚部
８０  第１補強体（第１杆体、杆体）
９０  第２補強体（第２杆体、杆体）
１００  枢動部材
１０１  第１固定部
１０１ａ  第１固定板部
１０１ｂ、１０１ｃ  第１延出板部
１０１ｄ、１０１ｅ  貫通孔
１０１ｆ  凹部
１０２  第２固定部
１０２ａ  第２固定板部
１０２ｂ、１０２ｃ  第２延出板部
１０２ｄ、１０２ｅ  貫通孔
１０３  軸体
１０６  第３固定部
１０６ａ  第３固定板部
１０６ｂ、１０６ｃ  第３延出板部
１０６ｄ、１０６ｅ  貫通孔
Ａ  雄ねじ（規制部材）
Ｂ  雄ねじ（シャーシ規制部材）
【図１】
2009282481.tif 000003
【図２】
2009282481.tif 000004
【図３】
2009282481.tif 000005
【図４】
2009282481.tif 000006
【図５】
2009282481.tif 000007
【図６】
2009282481.tif 000008
【図７】
2009282481.tif 000009
【図８】
2009282481.tif 000010
【図９】
2009282481.tif 000011
【図１０】
2009282481.tif 000012
【図１１】
2009282481.tif 000013
【図１２】
2009282481.tif 000014
【図１３】
2009282481.tif 000015
【図１４】
2009282481.tif 000016
【図１５】
2009282481.tif 000017
【図１６】
2009282481.tif 000018
【図１７】
2009282481.tif 000019
【図１８】
2009282481.tif 000020
【図１９】
2009282481.tif 000021
【図２０】
2009282481.tif 000022
【図２１】
2009282481.tif 000023
【図２２】
2009282481.tif 000024
【図２３】
2009282481.tif 000025
【図２４】
2009282481.tif 000026